(57)【要約】【課題】フィットネス施設において、自分のカルテを探す手間をかけることなく簡易な操作で運動情報を記録することができ、施設外でも運動情報の確認が可能なシステムを提供する。【解決手段】会員が運動を終え、電子ペン１を用いて記録用紙２に自分の会員ID、氏名、運動内容等を記入した上で、送信指示ボックス２４にチェックを入れると、電子ペン１はメモリ１２内のデータを送信装置３へ無線で送信し、送信装置３は、受信したデータを情報管理サーバ４へ送信する。情報管理サーバ４は受信したデータをテキストデータまたは画像データに変換して、運動情報として記憶装置４２に保存する。【選択図】図１
2007087286.tif 000002
【特許請求の範囲】
【請求項１】
運動情報が記入される記録用紙と、前記記録用紙に手書きにより記入される運動情報を電子データとして取得する電子ペンとを用いた運動情報管理システムであって、前記電子ペンが取得した電子データに基づいて前記運動情報の検索用データベースを作成する検索用データベース作成手段と、前記検索用データベース作成手段で作成された前記検索用データベースに基づいて目的の運動情報を検索する検索手段とを備えたことを特徴とする運動情報管理システム。
【請求項２】
前記記録用紙には、紙面上における位置を特定するためのユニークなドットパターンが形成されており、前記電子ペンは、前記記録用紙に記入された前記運動情報をペン先の軌跡の位置情報として取得することを特徴とする請求項１に記載の運動情報管理システム。
【請求項３】
前記運動情報は、記録者を特定するための識別情報と、運動の内容を特定するための運動内容情報と、体重・血圧・脈拍等の健康管理情報を含むことを特徴とする請求項１または２に記載の運動情報管理システム。
【請求項４】
前記検索用データベースにおける検索結果を、表示端末へメール送信することを特徴とする請求項１から３のいずれかに記載の運動情報管理システム。
【請求項５】
記録用紙に運動情報を電子ペンで手書きにより記入する運動情報記録ステップと、前記記録用紙に記入された前記運動情報を、前記電子ペンが電子データとして取得する電子データ取得ステップと、前記電子ペンが取得した前記電子データに基づいて、前記運動情報の検索用データベースを作成する検索用データベース作成ステップと、前記検索用データベース作成ステップで作成された前記検索用データベースに基づいて、目的の運動情報を検索する検索ステップとを含むことを特徴とする運動情報管理方法。
【発明の詳細な説明】
【技術分野】
【０００１】
本発明は、電子ペンを用いることにより、簡易な操作で運動内容を記録することが可能な、運動情報管理システムおよび運動情報管理方法に関するものである。
【背景技術】
【０００２】
フィットネスクラブ等の運動施設では、会員は運動開始前および終了後にその日の体重・血圧等の健康管理情報と・運動内容をカルテに記録する。カルテは1名につき1冊用意されており、各会員のカルテは五十音順や生年月順など、一定の規則に基づいて施設内の書棚やラック等に収納されている。会員はその中から自分のカルテを探し出し、鉛筆等の筆記用具を用いてデータを記入する。
【０００３】
記入済みのカルテは1ヶ所に回収され、施設指導員が確認し、コメントやトレーニング指導を記入した上でラックの所定の位置に収納しなおす。
【発明の開示】
【発明が解決しようとする課題】
【０００４】
しかし、大量のカルテの中から自分の物を探すのには手間がかかり、仕事後などの限られた時間に来館する会員にとっては時間の無駄となるし、記入済みのカルテを所定の位置に戻す施設指導員の作業も煩雑である。
【０００５】
またカルテの内容は施設内でしか確認することができず、会員は自宅等で過去の運動情報を確認したり、今後の計画を立てたりすることができない。
【０００６】
そこで本発明は、手間をかけることなく簡易な操作で運動情報の電子カルテを作成することができ、指導員がコメントしやすく、さらに会員は施設へ足を運ばなくとも前記運動情報の確認をしたりトレーニング指導を受けたりすることが可能なシステムを提供することを課題とする。
【課題を解決するための手段】
【０００７】
請求項１に記載の運動情報管理システムは、運動内容が記入される記録用紙と、前記記録用紙に手書きにより記入される運動情報を電子データとして取得する電子ペンとを用いた運動情報管理システムであって、前記電子ペンが取得した電子データに基づいて前記運動情報の検索用データベースを作成する検索用データベース作成手段と、前記検索用データベース作成手段で作成された前記検索用データベースに基づいて目的の運動情報を検索する検索手段とを備えたことを特徴とする。
【０００８】
請求項１に記載の運動情報管理システムによれば、記録用紙にその日の運動情報を手書きにより記入すると、電子ペンが記入用紙に記入された運動情報を取得し、検索用データベース作成手段で電子ペンが取得した電子データに基づいて管理対象物を検索する検索ステップとを含むことを特徴とする。
【０００９】
また、前記記録用紙には、紙面上における位置を特定するためのユニークなドットパターンが形成されており、前記電子ペンは、前記記録用紙に記入された前記運動情報をペン先の軌跡の位置情報として取得する（請求項２）。
【００１０】
また、前記運動情報は、記録者を特定するための識別情報と、運動の内容を特定するための運動内容情報と、体重・血圧・脈拍等の健康管理情報を含む（請求項３）。
【００１１】
また、前記検索用データベースにおける検索結果を、表示端末へメール送信することも可能である（請求項４）。
【００１２】
請求項５に記載の運動情報管理方法は、記録用紙に運動情報を電子ペンで手書きにより記入する運動情報記録ステップと、前記記録用紙に記入された前記運動情報を、前記電子ペンが電子データとして取得する電子データ取得ステップと、前記電子ペンが取得した前記電子データに基づいて、前記運動情報の検索用データベースを作成する検索用データベース作成ステップと、前記検索用データベース作成ステップで作成された前記検索用データベースに基づいて、目的の運動情報を検索する検索ステップとを含むことを特徴とする。
【００１３】
請求項５に記載の運動情報管理方法によれば、運動情報記録ステップにおいて、運動情報を電子ペンで手書きにより記入すると、電子データ取得ステップにおいて、前記記録用紙に記入された前記運動情報を前記電子ペンが電子データとして取得し、検索用データベース作成ステップにおいて、前記運動情報の検索用データベースを作成することができる。そして、検索ステップにおいて、前記検索用データベース作成ステップで作成された前記検索用データベースに基づいて、目的の運動情報を検索することができる。
【発明の効果】
【００１４】
以上の手段により、手間をかけることなく、簡易な操作で運動情報の電子カルテを作成することが可能となり、施設指導員は簡単にコメントやトレーニング指導を記入することができる。さらに、会員は施設へ足を運ばなくとも前記運動情報の確認やトレーニング指導を受けることが可能となる。
【発明を実施するための最良の形態】
【００１５】
以下本発明の実施の形態について図面を参照して説明する。
【００１６】
図１は、本発明による運動情報管理システムの全体構成を示す図である。
図２は、図１に示される電子ペン１の説明図である。
図３は、図１に示される記録用紙２の説明図である。
図４は、本発明における運動情報管理システムの流れを示すフロー図である。
図５は、運動情報参照の流れを示すフロー図である。
図６は、表示端末５のログイン画面のイメージ図である。
図７は、表示端末５の運動情報表示画面のイメージ図である。
図８は、表示端末５のエラー画面のイメージ図である。
【００１７】
図１に示すように、本実施形態の運動情報管理システムは
電子ペン１と、記録用紙２と、送信装置３と、情報管理サーバ４と、表示端末５とから構成されている。
【００１８】
電子ペン１は図２に示す通り、通常の筆記用具としての機能を備えたペン型の装置であり、内部にはプロセッサ１１、メモリ１２、通信インタフェース１３、バッテリー１４、赤外線ＬＥＤ１５、カメラ１６および筆圧センサー１７を備えている。
【００１９】
電子ペン１は紙面上における位置を特定するためのユニークなドットパターンの印刷された専用ペーパーと組み合わせて使用され、前記専用ペーパー上のドットパターンをカメラ１６で読み取ることにより、ペーパー上の位置座標をリアルタイムで算出し、データ化しながらメモリ１２に記憶していく。
【００２０】
専用ペーパー上で電子ペン１のペン先が移動すると、筆圧センサー１７がそれを感知し、プロセッサ１１へ供給する。プロセッサ１１は赤外線ＬＥＤ１５およびカメラ１６を作動し、赤外線ＬＥＤ１５が専用ペーパー上のペン先部を照明しつつ、カメラ１６が専用ペーパーに印刷されているドットパターンを読み取る。
【００２１】
ドットパターンはカーボンを含む専用のインキで印刷されており、カメラ１６はその専用インキによるパターンのみを認識する。
【００２２】
このドットパターンは専用ペーパー上の位置座標と対応付けされており、カメラ１６がドットパターンを撮影するとプロセッサ１１はカメラ１６から入力されるドットパターンに基づいて、それに対応する専用ペーパー上の位置座標をリアルタイムで算出し、データ化しながらメモリ１２に記憶していく。
【００２３】
すなわち、電子ペン１を用いて必要事項を記入すると、記入事項が専用ペーパー上のどの項目に対するものであるかを、専用ペーパー上の位置座標から特定することができる。
【００２４】
記入者が電子ペン１で専用ペーパー上の送信指示領域内にチェックを入れると、カメラ１６は送信指示領域内のドットパターンを読み取る。
【００２５】
当該ドットパターンは送信指示に対応付けられており、電子ペン１内のプロセッサ１１は通信インタフェース１３にメモリ１２内のデータの送信命令を発する。
【００２６】
この送信命令を受けて、通信インタフェース１３はメモリ１２内の電ータを送信装置３へ無線で送信する。
【００２７】
尚、電子ペン１については上記で説明したような専用ペーパー上のドットパターンを読み取る方式のものだけでなく、超音波検知によりペン先の位置座標を特定する方式のもの、レーザーによりペンの動きを認識する方式のものなどを利用することも可能である。
【００２８】
記録用紙２は図３に示す通り、電子ペン１を用いて運動情報を記入するためのシートで、前記専用ペーパーの上に会員識別情報を記入するための識別情報記録欄２１と、健康管理情報を記入するための健康管理情報記録欄２２と、運動内容情報を記入するための運動内容情報記録欄２３と、記入された情報を送信するための送信指示ボックス２４が設けられている。
【００２９】
なお、「識別情報」とは、会員IDや氏名等の、会員を特定するための情報のことであり、「健康管理情報」とは体重・血圧・脈拍等の測定結果のことであり、「運動内容情報」とはウォーキング、ジョギング、腹筋、背筋等のその日の運動内容のことである。これらの記入項目は施設によって追加・削除することが可能である。
【００３０】
送信装置３は、電子ペン１から送信されたデータを受信し情報管理サーバ４へ送信するための装置である。送信装置３としては電子ペン１との通信機能を持たせたＰＣ、携帯電話、ＰＤＡおよび専用装置等が用いられる。なお電子ペン１との無線通信技術の例としては、無線ＬＡＮやブルートゥースがあげられる。
【００３１】
情報管理サーバ４は、送信装置３から送信されたデータをテキストデータまたは画像データに変換し、その変換されたテキストデータまたは画像データを記憶するための装置である。つまり、情報管理サーバ４には、テキストデータまたは画像データまたはその両方からなる運動情報が記憶される。情報管理サーバ４は、運動情報を検索する際に用いられるデータベースとなる。
【００３２】
情報管理サーバ４は、図１に示すように、送信装置３または表示端末５との通信を制御する通信制御装置４１と、テキストデータまたは画像データまたはその両方からなる運動情報を記憶する記憶装置４２と、キーボードやマウス等から構成される入力装置４３と、ディスプレイやプリンタ等から構成される出力装置４４と、あらかじめ入力されたプログラムにしたがって装置を制御する制御装置４５とを備えている。情報管理サーバ４は、通信制御装置を介してネットワーク６と接続されている。
【００３３】
制御装置は、位置座標データを公知の文字認識技術によりテキストデータに変換した後、その変換したテキストデータを記録用紙２の識別情報欄２１、健康管理情報記録欄２２、運動内容情報記録欄２３と関連付ける。なお、テキストに変換できないサインや絵等については、画像データに変換した後、その変換した画像データを記録用紙２の識別情報欄２１、健康管理情報記録欄２２、運動内容情報記録欄２３と関連付ける。
【００３４】
情報管理サーバ４としては、ネットワーク接続手段を備えた専用装置、ＰＣ、サーバコンピュータ等が用いられる。
【００３５】
表示端末５は、情報管理サーバ４へ問い合わせを行い、提供された運動情報を画面に表示する端末であり、ネットワーク接続機能を備えた専用装置、ＰＣ、携帯電話、ＰＤＡ等が利用可能である。
【００３６】
電子ペン１、記録用紙２および送信装置３はフィットネスクラブ内に設置される。情報管理サーバ４、表示端末５はフィットネスクラブ内に設置されていても良いし、ネットワーク６を経由した別の場所に設置されていても良い。
【００３７】
送信装置３、情報管理サーバ４、表示端末５は、ネットワーク６を介して相互に接続されている。
【００３８】
なお、本実施の形態では、電子ペン１と送信装置３との通信を無線通信で行うように構成したが、電子ペン１と送信装置３との通信を有線で行うように構成することもできる。その場合は、例えば電子ペン１の通信インタフェース１３をUSB対応のものとし、USBケーブルによって電子ペン１と送信装置３を接続する。
【実施例】
【００３９】
以下、このような情報管理システムの具体的実施例について、図を参照して説明する。
図４は、本発明における運動情報管理システムの流れを示すフロー図である。
【００４０】
会員は運動を終えると、電子ペン１を用いて記録用紙２の識別情報欄２１、健康管理情報記録欄２２、運動内容情報記録欄２３に必要事項を記入し、送信指示ボックス２４にチェックを記入する。
【００４１】
送信指示ボックス２４にチェックが記入されると、電子ペン１の通信インタフェース１３はメモリ１２内に蓄積されたデータを送信装置３へ送信する（ステップ１）。
【００４２】
送信装置３は、電子ペン１の通信インタフェース１３により送信されたデータを受信し（ステップ２）、前記データを情報管理サーバ４へ送信する（ステップ３）。
【００４３】
情報管理サーバ４の通信制御装置４１が前記データを受信すると（ステップ４）、制御装置４５はそのデータをテキストデータまたは画像データまたはその両方に変換する（ステップ５）。その後、前記変換されたデータを記憶装置４２に保存する（ステップ６）。変換されたデータは運動情報として記憶装置４２へ保存される（ステップ７）。
【００４４】
運動情報が情報管理サーバ４の記憶装置４２へ保存された後の、記入済みの記録用紙２は処分しても良いし、ファイリングするなどして保管しても良い。
【００４５】
次に、図５〜７を参照しながらこれら運動情報の参照方法について説明する。
【００４６】
図５は、運動情報検索の流れを示すフロー図である。
【００４７】
まず、図６に示すような表示端末５のログイン画面にて、会員IDとパスワードを入力する（ステップ１１）。
【００４８】
表示端末５は入力された会員IDとパスワードを情報管理サーバ４へ送信する（ステップ１２）。
【００４９】
情報管理サーバ４は、受信した会員IDとパスワードに対応する運動情報を検索する（ステップ１３）。
【００５０】
検索の結果対応する運動情報が存在する場合、情報管理サーバ４の制御装置４５はその運動情報を通信制御装置４１へ送り（ステップ１４）、通信制御装置４１は表示端末５へ前記運動情報を送信する（ステップ１５）。表示端末５は受信した運動情報を画面へ出力表示する（ステップ１６）。
【００５１】
表示端末５の運動情報表示画面は、図７に示すように、情報選択部６１と、情報表示部６２とで構成される。
【００５２】
情報選択部６１には、送信装置３から過去の運動情報の受信日が時系列に並んでおり、この中から参照したい日を選択すると、情報表示部６２に選択された日の運動情報が表示されるようになっている。
【００５３】
本例では一日ごとの表示となっているが、ほかに週別・月別など指定した期間での表示、グラフ表示なども可能である。
【００５４】
一方、会員IDとパスワードに対応する運動情報が存在しない場合、情報管理サーバ４の制御装置４５は通信制御装置４１へエラー結果を送信し（ステップ１７）、通信制御装置４１は表示端末５へ同エラー結果を送信する（ステップ１８）。
【００５５】
表示端末５は受信したＮＧ結果を８に示すような画面へ出力表示する（ステップ１６）。
【００５６】
ここでは、表示端末５から情報管理サーバ４へアクセスして運動情報を検索し、検索結果をそのまま表示端末５の画面へ表示させる方法を説明したが、検索結果を表示端末へ、メールで返信させることも可能である。
【００５７】
その場合、ステップ１１から１６でログインし、運動情報を検索した後、表示端末５の画面の情報選択部より、希望の日付または期間を選択する。
【００５８】
情報管理サーバ４は、会員IDごとにあらかじめ指定されているメールアドレス宛てに、該当する運動情報をメールにて送信する。
【００５９】
なお、この方法で運動情報を取得する場合には、情報管理サーバ４および表示端末５はメールの送受信機能を備えている必要がある。
【００６０】
以上の方法により、手間をかけることなく、簡易な操作で運動情報の電子カルテを作成することが可能となり、施設指導員は簡単にコメントやトレーニング指導を記入することができる。さらに、会員は施設へ足を運ばなくても前記運動情報の確認やトレーニング指導を受けることが可能となる。
【図面の簡単な説明】
【００６１】
【図１】本発明による運動情報管理システムの概要説明図である。
【図２】図１に示される電子ペン１の説明図である。
【図３】図１に示される記録用紙２の説明図である。
【図４】本発明における運動情報管理システムの流れを示すフロー図である。
【図５】運動情報参照の流れを示すフロー図である。
【図６】表示端末５におけるログイン画面のイメージ図である。
【図７】表示端末５における運動情報表示画面のイメージ図である。
【図８】表示端末５におけるログインエラー画面のイメージ図である。
【符号の説明】
【００６２】
１      電子ペン
２      記録用紙
３      送信装置
４      情報管理サーバ
５      表示端末
６      ネットワーク
１１    プロセッサ
１２    メモリ
１３    通信インタフェース
１４    バッテリー
１５    赤外線LED
１６    カメラ
１７    筆圧センサー
２１    識別情報記録欄
２２    健康管理情報記録欄
２３    運動内容情報記録欄
２４    送信指示ボックス
４１    通信制御装置
４２    記憶装置
４３    入力装置
４４    出力装置
４５    制御装置
６１    情報選択部
６２    情報表示部
【図１】
2007087286.tif 000003
【図２】
2007087286.tif 000004
【図３】
2007087286.tif 000005
【図４】
2007087286.tif 000006
【図５】
2007087286.tif 000007
【図６】
2007087286.tif 000008
【図７】
2007087286.tif 000009
【図８】
2007087286.tif 000010